(57)【要約】      （修正有）【課題】掃除動作の中断時には、電動送風機、塵落し機構が動作せず、運転音や運転時間に煩わされない電気掃除機を提供する。【解決手段】本体ケース２２と、この本体ケース内に収容されている電動送風機と、吸込んだ塵埃と空気を分離するフィルタと、手元操作部１３に設けられ、電動送風機の運転を停止させる停止スイッチと、この停止スイッチが操作された時に振動によってフィルタ上の塵埃を塵落しする塵落し機構と、この塵落し機構および電動送風機の動作を制御する制御装置とを備える掃除機本体２０とからなり、掃除動作の中断時、吸込口体あるいは延長パイプ１２に設けた第１の係合部と、本体ケースの外周に設けた第２の係合部を係合させて、延長パイプの起立状態を保たせ、本体ケースに設けかつ延長パイプの係合状態を検知する検知手段が、延長パイプの係合状態を検知し、制御装置は電動送風機を停止させると共に塵落し機構の停止状態を維持する。【選択図】図１１
2010051357.tif 000002
【特許請求の範囲】
【請求項１】
吸込口体、延長パイプ、手元操作部を備えた集塵ホースが順次接続されてなりかつ、塵埃を含む空気が流れる吸込側ユニットと、
本体ケースと、この本体ケース内に収容され、塵埃を含む気流を発生させる電動送風機と、吸込んだ塵埃と空気を分離するフィルタと、前記手元操作部に設けられ、前記電動送風機の運転を停止させる停止スイッチと、この停止スイッチが操作された時に前記フィルタに付着した塵埃をこのフィルタに振動を与えて塵落しする塵落し機構と、この塵落し機構および前記電動送風機の動作を制御する制御装置とを備える掃除機本体とからなり、
掃除動作の中断時、前記吸込口体あるいは前記延長パイプに設けた第１の係合部と、前記本体ケースの外周に設けた第２の係合部を係合させて、前記延長パイプの起立状態を保たせ、
前記本体ケースに設けかつ前記延長パイプの係合状態を検知する検知手段が、前記延長パイプの係合状態を検知し、この検知情報に基づき前記制御装置は前記電動送風機を停止させると共に前記塵落し機構の停止状態を維持することを特徴とする電気掃除機。
【請求項２】
前記第１の係合部と前記第２の係合部の係合が解除された場合、この解除を前記検知手段が検知し、この検知情報に基づき、前記制御装置は前記電動送風機の運転を再び継続させることを特徴とする請求項１に記載の電気掃除機。
【請求項３】
掃除動作の中断後、所定時間経過後、前記制御装置を介して、電動送風機への給電を遮断することを特徴とする請求項１または２に記載の電気掃除機。
【発明の詳細な説明】
【技術分野】
【０００１】
本発明は電気掃除機に係り、特にフィルタの自動塵落し機構の作動を制御するスイッチを設けた電気掃除機に関する。
【背景技術】
【０００２】
従来、集塵した塵埃と空気を分離するフィルタに付着する塵埃を除去するために、フィルタの自動塵落し機構を備えた電気掃除機が用いられている。
【０００３】
この種の自動塵落し機構は、掃除動作後にスイッチを切る毎に、フィルタに振動を与えて細塵を剥離し、また機内の風路を切替えると共に吸気風を発生させる電動送風機を起動して剥離した細塵を集塵部に運ぶものである（例えば、特許文献１参照）。
【０００４】
しかしながら、特許文献１に記載の電気掃除機は、掃除動作中に室内の物を移動する等の際、電気掃除機の運転を停止すると、自動塵落し機構が作動し、その運転音や運転時間から使用者に煩わしさを感じさせるため、使用者からは、掃除動作の中断時には自動塵落し機構が動作せず、運転音や運転時間に煩わされない電気掃除機が要望されていた。
【特許文献１】特開２００７−３３０４５８号公報
【発明の開示】
【発明が解決しようとする課題】
【０００５】
本発明は上述した事情を考慮してなされたもので、掃除動作の中断時には電動送風機、塵落し機構が動作せず、運転音や運転時間に煩わされない電気掃除機を提供することを目的とする。
【課題を解決するための手段】
【０００６】
上述した目的を達成するため、本発明に係る電気掃除機は、吸込口体、延長パイプ、手元操作部を備えた集塵ホースが順次接続されてなりかつ、塵埃を含む空気が流れる吸込側ユニットと、本体ケースと、この本体ケース内に収容され、塵埃を含む気流を発生させる電動送風機と、吸込んだ塵埃と空気を分離するフィルタと、前記手元操作部に設けられ、前記電動送風機の運転を停止させる停止スイッチと、この停止スイッチが操作された時に前記フィルタに付着した塵埃をこのフィルタに振動を与えて塵落しする塵落し機構と、この塵落し機構および前記電動送風機の動作を制御する制御装置とを備える掃除機本体とからなり、掃除動作の中断時、前記吸込口体あるいは前記延長パイプに設けた第１の係合部と、前記本体ケースの外周に設けた第２の係合部を係合させて、前記延長パイプの起立状態を保たせ、前記本体ケースに設けかつ前記延長パイプの係合状態を検知する検知手段が、前記延長パイプの係合状態を検知し、この検知情報に基づき前記制御装置は前記電動送風機を停止させると共に前記塵落し機構の停止状態を維持することを特徴とする。
【発明の効果】
【０００７】
本発明に係る電気掃除機によれば、掃除動作の中断時には、電動送風機、塵落し機構が動作せず、運転音や運転時間に煩わされない電気掃除機を提供することができる。
【発明を実施するための最良の形態】
【０００８】
本発明の一実施形態に係る電気掃除機について図面を参照して説明する。
【０００９】
図１は本発明の一実施形態に係る電気掃除機の斜視図であり、図２は本電気掃除機の掃除機本体の斜視図であり、図３は本掃除機本体から集塵ユニットを取り除いて示す斜視図であり、図４は本掃除機本体の縦断面図であり、図５は本電気掃除機に用いる第１の除塵手段の縦断面図である。
【００１０】
図１および図２に示すように、本実施形態に係る電気掃除機１は、吸込側ユニット１０と掃除機本体２０からなる。
【００１１】
吸込側ユニット１０は吸込口体例えば床ブラシ１１、延長パイプ１２、停止スイッチを含む操作スイッチ１３ａを備える手元操作管１３および集塵ホース１４を順次接続してなり、床ブラシ１１が吸い込んだ塵埃を含む空気を掃除機本体２０に流す。
【００１２】
図３〜図５に示すように、掃除機本体２０は、蓋体２１を設けた本体ケース２２を備え、この本体ケース２２の前部には、延長パイプ１２が着脱自由に取り付けられる接続口２２ａが設けられ、本体ケース２２の前部に設けた集塵ユニット室２３には、集塵ユニット２４が蓋体２１により開閉される開口部２２ｂを介して着脱自由に収容される。
【００１３】
また、本体ケース２２は上ケース２２Ａと下ケース２２Ｂからなり、本体ケース２２の後側には電動送風機２５が収容され、この電動送風機２５の前側に前面開口２６ａを有する円筒状の接続風路部２６が形成され、この接続風路部２６により、集塵ユニット２４の下流側と電動送風機２５の吸込開口２５ａが連通する。
【００１４】
さらに、集塵ユニット２４は、第１の除塵手段３０と、この第１の除塵手段３０の下流に一体的に設けた第２の除塵手段５０からなる。
【００１５】
第１の除塵手段３０は、高速で流れる空気中に含まれる塵埃を、慣性力を利用して分離する方式を採用し、塵埃を分離する円弧状の外周壁を有する円筒状の塵埃分離部３１と、この塵埃分離部３１内に塵埃分離部３１の軸線に沿って設けられ、ネットフィルタＮＦ１を備えるほぼ円錐形状の塵埃分離手段３２と、塵埃分離部３１の側壁に設けた吸引風路部３３と、吸込接続口（図示せず）から塵埃分離部３１へ空気を案内する案内風路管３４とを有する。吸込接続口は、集塵ユニット２４が集塵ユニット室２３に装着された際に、掃除機本体２０の接続口２２ａに連通される。
【００１６】
塵埃分離部３１の外周壁の上部には、空気から分離された塵埃を導入する導入開口３１ａが形成される。また、塵埃分離部３１の右側壁には、案内風路管３４が接続されている接続開口（図示せず）と、吸引風路部３３が接続されている吸引開口３３ａとが形成されている。
【００１７】
案内風路管３４は、ほぼ円弧状に形成されており、塵埃分離部３１の接続開口（図示せず）から塵埃分離部３１内へ導入される空気を反時計回りに回転させるようになっている。
【００１８】
集塵部４０は、ほぼ逆Ｌ字形に形成された集塵ケース４１から構成される。この集塵ケース４１は、上部に左右方向に延びた連通路４２を形成した連通ケース部４３と、この連通ケース部４３の右端部から下方に延びるとともに塵埃を集塵する集塵室４４を形成した集塵ケース部４５とを有している。
【００１９】
連通ケース部４３の下面には開口４３ａが形成され、この開口４３ａは塵埃分離部３１の導入開口３１ａに接続される。また、接続開口４６は吸引風路部３３の接続開口３３ｂに接続される。集塵ケース部４５内には、接続開口４６に対向した位置にフィルタＦ１が設けられる。
【００２０】
図３、図５〜図７に示すように、第２の除塵手段５０は、後面が開口された円筒状の収納ケース５１と、この収納ケース５１内に回転自在に取り付けられたプリーツフィルタ体５２と、このプリーツフィルタ体５２と一体に回転していき、ブレード５３ａを備えたブレード体５３とを有する。収納ケース５１の前壁部５１ａには塵埃分離部３１が一体に形成される。
【００２１】
収納ケース５１の前壁部５１ａには、接続開口５１ｂが形成され、この接続開口５１ｂが吸引風路部３３に接続される。そして、その接続開口５１ｂを介して収納ケース５１内と吸引風路部３３とが連通する。
【００２２】
また、前壁部５１ａには、後方に延びるとともに接続開口５１ｂを挟む位置に一対の突起５５が設けられている。この一対の突起５５は、後述するプリーツフィルタ５６の山部５６ａに当接するとともに、プリーツフィルタ体５２の回転中心の位置より下側に位置している。
【００２３】
収納ケース５１は、プリーツフィルタ体５２を回転自在に保持する筒状の保持部（図示せず）と、プリーツフィルタ５６から落とされた塵埃を受ける円環状の塵埃受部５１ｃ等とを有する。この塵埃受部５１ｃには、塵埃を排出する排出口５１ｄが前壁部５１ａに亘って形成されている。この排出口５１ｄは連通路（図示せず）を介して塵埃分離部３１に連通している。
【００２４】
プリーツフィルタ体５２は、筒状の枠体５７と、この枠体５７内の中心位置に設けられた軸部５７ａと、この軸部５７ａから放射状にプリーツを形成するための複数のプリーツ骨５８ａ、５８ｂと、このプリーツ骨５８ａ、５８ｂに貼られて形成されたフィルタであるプリーツフィルタ５６とを有する。符号５６ａは、上流側に対してのプリーツフィルタ５６の山部である。
【００２５】
塵落し機構６０は、プリーツフィルタ５６に機械的振動を与えて塵落しする機能を備え、プリーツフィルタ５６の回転に伴って山部５６ａに当接して、プリーツフィルタ５６に機械的振動を与える上記一対の突起５５と、枠体５７の外周に設けた従動ギア６１と、集塵ユニット２４を集塵ユニット室２３に装着すると従動ギア６１に歯合し、共に図４に示す駆動ギア６２と、この駆動ギア６２を回転させる駆動モータ６３からなる。
【００２６】
図１および図８に示すように、掃除機本体２０には、マイコン、記憶手段を備えた制御装置６４が設けられ、マイコンあるいは手元操作管１３の停止スイッチを含む操作スイッチ１３ａの操作やプリーツフィルタ体５２の回転を検知して制御するマイクロスイッチＳ１、吸込側ユニットの係合状態を検知する検知手段としての開閉スイッチ６５の検知信号に基づいて電動送風機２５や駆動モータ６３を制御する。
【００２７】
図２および図９に示すように、上ケース２２Ａには、第１の係合部であるリング状の係合部６６が設けられ、この係合部６６に近接して、作動子６５ａによってオン・オフ制御される上記開閉スイッチ６５が設けられる。
【００２８】
図９〜図１１に示すように、床ブラシ１１あるいは延長パイプ１２、例えば延長パイプ１２には、第２の係合部であるＬ字形状の係止子６７が設けられ、延長パイプ１２が起立した状態で、係止子６７が係合部６６に係合して、延長パイプ１２の起立が保たれ、さらに、係止子６７により作動子６５ａを介して開閉スイッチ６５がオン状態を保つ。
【００２９】
開閉スイッチ６５のオンすなわち起立した状態の検知情報は制御装置６４（図８）に入力され、制御装置６４を介して、電動送風機２５を停止させ、駆動モータ６３を回転しない状態にする。
【００３０】
掃除動作の中断後、所定時間経過後、制御装置６４を介して、電動送風機２５への給電を遮断するようになっている。
【００３１】
なお、上記検知手段は作動子を備える開閉スイッチに替えて、第１の係合部に近接して設けたスイッチ素子を係止子に設けた磁気により作動させる磁気スイッチ等を用いてもよい。
【００３２】
次に本実施形態の電気掃除機に用いる掃除について説明する。
【００３３】
図１、図３および図５に示すように、塵埃を含む空気は、吸込側ユニット１０、接続口２２ａおよび第１の除塵手段３０の塵埃分離部３１に吸い込まれ、塵埃分離手段３２により、大きな塵埃は、メッシュフィルタＮＦ１で除塵され、塵埃は連通路４２を通過して集塵室４４に溜まり、微小な塵埃を含む空気は、メッシュフィルタＮＦ１を通過して、接続開口３３ａ、吸引風路部３３を介して第２の除塵手段５０であるプリーツフィルタ５６に達し、微小な塵埃も除塵される。また、塵埃はフィルタＦ１で除塵され、フィルタＦ１を通過した微小な塵埃を含む空気は、接続開口３３ｂ、吸引風路部３３を介してプリーツフィルタ５６に達し、微小な塵埃も除塵される。
【００３４】
プリーツフィルタ５６で微小な塵埃が除塵された空気は、接続風路部２６、電動送風機２５を介して本体ケース２２の後部に設けた排気口から、本体ケース２２外に排出される。
【００３５】
一方、プリーツフィルタ５６で除塵された微小な塵埃は、プリーツフィルタ５６に付着する。
【００３６】
掃除作業を継続した後、掃除が終了すると、操作スイッチ１３ａを押す。掃除終了の操作スイッチ１３ａを押すと、制御装置６４を介して、電動送風機２５が停止し、自動的に塵落し機構６０が作動する。
【００３７】
図６および図７に示すように、塵落し機構６０が作動すると、駆動モータ６３が回転し、駆動ギア６２および従動ギア６１を介して、プリーツフィルタ体５２が回転する。
【００３８】
プリーツフィルタ体５２が回転すると、突起５５がプリーツフィルタ５６の山部５６ａに当接して、プリーツフィルタ５６に機械的振動を与え、プリーツフィルタ５６に付着した微小な塵埃を下方に落下させて、塵落しを行なう。この塵埃は収納ケース５１の塵埃受部５１ｃに溜まっていく。この塵落し機構６０の作動時、プリーツフィルタ５６の山部５６ａが突起５５に衝突し、カタカタという衝撃音が発生する。
【００３９】
他方、プリーツフィルタ体５２とともにブレード体５３が回転していき、ブレード体５３のブレード５３ａの摺接部が収納ケース５１の塵埃受部５１ｃの上面を摺接移動していく。このブレード５３の摺接部の摺接移動により、塵埃受部５１ｃに溜まった塵埃が、この塵埃受部５１ｃの周面上に沿って移動して、塵埃受部５１ｃの排出口５１ｄへ掃き出されていく。排出口５１ｄへ掃き出された塵埃は、図５に示す連通路４２を介して塵埃分離部３１内へ排出される。
【００４０】
また、掃除の途中で家具などをどける場合、掃除を中断するが、図１１に示すように、延長パイプ１２を起立させる。このような起立状態を保つには、図１０に示す延長パイプ１２に設けた係止子６７を、図９に示す係合部６６に係合する。
【００４１】
延長パイプ１２が起立し、係止子６７が係合部６６に係合すると、係止子６７により作動子６５ａを介して開閉スイッチ６５がオン状態になり、オン状態を保つ。
【００４２】
開閉スイッチ６５がオン状態になると、図８に示す制御装置６４を介して電動送風機２５の回転を止め、塵落し機構６０が作動しない状態にする。
【００４３】
すなわち、本実施形態の電気掃除機では、掃除作業の終了時、操作スイッチ１３ａを操作して電動送風機２５を停止させた後、塵落し機構６０を作動させるが、掃除中断時には、電動送風機２５の停止後、自動的に塵落し機構６０が作動しない状態にする。
【００４４】
従って、掃除中断時に塵落し機構６０が作動して、カタカタという衝撃音が発生することなく、静かである。
【００４５】
また、掃除を再開するために、手元操作管１３を持ち、係止子６７と係合部６６の係合を解除するが、開閉スイッチ６５は、この解除によってオフ状態になり、制御装置６４を介して、電動送風機２５の運転を速やかに停止前の入力で再開して、掃除可能状態にする。このとき、塵落し機構６０は作動していないので、塵落し動作の終了を待つ必要がなく、中断後速やかに掃除を再開できて、掃除時間の短縮を図ることができる。
【００４６】
さらに、掃除の中断が長くなり、延長パイプ１２が何らかの原因で倒れ、係止子６７と係合部６６の係合が解除されても、所定時間経過後、制御装置６４を介して、電動送風機２５への給電を遮断するので、勝手に電動送風機２５が運転することなく、安心である。
【００４７】
本実施形態の電気掃除機によれば、掃除動作の中断時には、電動送風機、落し機構が動作せず、運転音や運転時間に煩わされない電気掃除機を提供することができる。
【図面の簡単な説明】
【００４８】
【図１】本発明の一実施形態に係る電気掃除機の斜視図。
【図２】本発明の一実施形態に係る電気掃除機の掃除機本体の斜視図。
【図３】本発明の一実施形態に係る電気掃除機の掃除機本体から集塵ユニットを取り除いて示す斜視図。
【図４】本発明の一実施形態に係る電気掃除機の掃除機本体の縦断面図。
【図５】本発明の一実施形態に係る電気掃除機に用いる第１の除塵手段の縦断面図。
【図６】本発明の一実施形態に係る電気掃除機に用いるプリーツフィルタ体の側面図。
【図７】本発明の一実施形態に係る電気掃除機に用いる塵落し機構の一部を示す斜視図。
【図８】本発明の一実施形態に係る電気掃除機の制御回路のブロック図。
【図９】本発明の一実施形態に係る電気掃除機に用いる係合部を示す拡大図。
【図１０】本発明の一実施形態に係る電気掃除機に用いる係止部を示す拡大図。
【図１１】本発明の一実施形態に係る電気掃除機の延長パイプの起立状態を示す斜視図。
【符号の説明】
【００４９】
１  電気掃除機
１０  吸込側ユニット
１１  床ブラシ
１２  延長パイプ
１３  手元操作管
１３ａ  操作スイッチ
１４  集塵ホース
２０  掃除機本体
２１  蓋体
２２  本体ケース
２２ａ  接続口
２２Ａ  上ケース
２２ｂ  開口部
２２Ｂ  下ケース
２３  集塵ユニット室
２４  集塵ユニット
２５  電動送風機
２５ａ  吸込開口
２６  接続風路部
２６ａ  前面開口
３０  第１の除塵手段
３１  塵埃分離部
３１ａ  導入開口
３２  塵埃分離手段
３３  吸引風路部
３３ａ  吸引開口
３３ｂ  接続開口
３４  案内風路管
４０  集塵部
４１  集塵ケース
４２  連通路
４３  連通ケース部
４３ａ  開口
４４  集塵室
４５  集塵ケース部
４６  接続開口
５０  第２の除塵手段
５１  収納ケース
５１ａ  前壁部
５１ｂ  接続開口
５１ｃ  塵埃受部
５１ｄ  排出口
５２  プリーツフィルタ体
５３  ブレード体
５３ａ  ブレード
５５  突起
５６  プリーツフィルタ
５６ａ  山部
５７  枠体
５７ａ  軸部
５８ａ、５８ｂ  プリーツ骨
６０  塵落し機構
６１  従動ギア
６２  駆動ギア
６３  駆動モータ
６４  制御装置
６５  開閉スイッチ
６５ａ  作動子
６６  係合部
６７  係止子
Ｆ１  フィルタ
【図１】
2010051357.tif 000003
【図２】
2010051357.tif 000004
【図３】
2010051357.tif 000005
【図４】
2010051357.tif 000006
【図５】
2010051357.tif 000007
【図６】
2010051357.tif 000008
【図７】
2010051357.tif 000009
【図８】
2010051357.tif 000010
【図９】
2010051357.tif 000011
【図１０】
2010051357.tif 000012
【図１１】
2010051357.tif 000013